(57)【要約】  ＵＥがセルにキャンプされている状態に基づいて、セル再選択および関連する測定行動のフレームワークを提案する。ＵＥが「任意セルへのキャンプ状態」にある場合、異周波数および／または異ＲＡＴ測定が、同一周波数測定に優先する。スキーム案は、任意セルへのキャンプ状態にある間にＵＥが適切なセルを見つけるのをサポートする。ＵＥが特定の周波数の使用を許可されている場合、ＵＥが優先周波数を見つけてその優先周波数にキャンプするのをサポートするために、別個の測定ルールが実施される。スキーム案はまた、ＵＥがセル選択を行い、それにより制限セルへのキャンプを減らす（mitigating）のをサポートするための、無線の質に加えアクセス関連情報を考慮する。かかる態様は、オペレータが提供するサービスによりユーザが制限される状況を最小限にする。【選択図】    図４
2010531578.tif 000002
【特許請求の範囲】
【請求項１】
無線通信システム内でサービスを提供する方法であって、
ＵＥがセルにキャンプされている状態を判断することと；
前記セルにキャンプしている前記状態に少なくとも基づいて、前記ＵＥがセル再選択のための１つまたは複数の測定を実行するのを容易にすることと；
を備える方法。
【請求項２】
前記ＵＥは、前記ＵＥが限定的なサービスを受けるか、サービスをまったく受けない任意セルへのキャンプ状態で前記セルにキャンプされている、請求項１に記載の方法。
【請求項３】
異周波数または異ＲＡＴ（無線アクセス技術）測定の１つまたは複数を１つまたは複数の同一周波数測定に優先させることをさらに備える、請求項２に記載の方法。
【請求項４】
前記異周波数または異ＲＡＴ測定の少なくとも１つで特定された最適なセルに正常キャンプすることをさらに備える、請求項３に記載の方法。
【請求項５】
異周波数または異ＲＡＴ測定の少なくとも１つで特定されたセルがない場合に前記同一周波数測定を実行することをさらに備える、請求項３に記載の方法。
【請求項６】
前記ＵＥが１つまたは複数の優先周波数の利用を許可されており、非優先周波数にキャンプされている、請求項２に記載の方法。
【請求項７】
前記ＵＥが前記優先周波数の１つまたは複数を利用できるか否かを判断する前記異周波数測定を実行することをさらに備える、請求項６に記載の方法。
【請求項８】
前記ＵＥが利用できる前記１つまたは複数の優先周波数の少なくとも１つにキャンプすることをさらに備える、請求項７に記載の方法。
【請求項９】
前記セル再選択の前記測定中に１つまたは複数の他のセルのアクセス関連情報を読み取ることをさらに備える、請求項１に記載の方法。
【請求項１０】
前記測定が異周波数測定に関連し、前記アクセス関連情報が各周波数につき最高順位のセルと結び付く、請求項９に記載の方法。
【請求項１１】
前記アクセス関連情報に基づき前記１つまたは複数の他のセルを優先および非優先のカテゴリに分類することをさらに備える、請求項９に記載の方法。
【請求項１２】
前記セルの順位付けプロセスで前記非優先のカテゴリにおける１つまたは複数のセルで無線の質のオフセット値を適用し、それにより前記ＵＥが異周波数または異ＲＡＴ検索の１つまたは複数で特定された少なくとも１つのセルに移動することが促されることをさらに備える、請求項１１に記載の方法。
【請求項１３】
前記ＵＥが「任意セルへのキャンプ」状態で禁止セルにキャンプされているとき、前記ＵＥはセル再選択パラメータを用いて代替セルを特定するのを容易にすることをさらに備える、請求項１に記載の方法。
【請求項１４】
通信システム内でセル選択を容易にする装置であって、
ＵＥのセル再選択の測定手順を、前記ＵＥがセルに現在キャンプされている状態に少なくとも基づいて実行するプロセッサと；
前記ＵＥが現在キャンプされている前記状態を判断する受信システム情報を格納するメモリコンポーネントと；
を備える装置。
【請求項１５】
前記状態が任意セルへのキャンプ状態であり、前記測定手順が異周波数または異ＲＡＴ検索の１つまたは複数を同一周波数検索に優先させる、請求項１４に記載の装置。
【請求項１６】
前記プロセッサは、１つまたは複数の優先周波数での通信を他の１つまたは複数の非優先周波数と比較して容易にする、請求項１４に記載の装置。
【請求項１７】
前記ＵＥは、任意セルへのキャンプ状態で前記非優先周波数の１つにキャンプされている、請求項１６に記載の装置。
【請求項１８】
前記測定手順は、前記ＵＥが前記優先周波数の少なくとも１つに正常キャンプ状態でキャンプできるか否かを判断する１つまたは複数の異周波数測定を実行する、請求項１７に記載の装置。
【請求項１９】
少なくとも１つのセルに関連する１つまたは複数のアクセス制限を備える前記システム情報を受信する受信コンポーネントをさらに備える、請求項１４に記載の装置。
【請求項２０】
前記プロセッサは、前記ＵＥがキャンプするための前記測定手順中に、複数のセルを順位付けするための前記アクセス制限の読み取りおよび分析を行う、請求項１９に記載の装置。
【請求項２１】
前記ＵＥのみに任意セルへのキャンプ状態でのキャンプを認める１つまたは複数のセルと関連付けられた前記メモリコンポーネントに格納された、１つまたは複数のオフセット値をさらに備える、請求項２０に記載の装置。
【請求項２２】
前記オフセット値は、前記ＵＥが前記サービス提供周波数から移動することを促されるように異周波数または異ＲＡＴのセルの見た目を改善するために前記順位付けプロセスで使用される、請求項２１に記載の装置。
【請求項２３】
ＵＥがセルに配置されている状態を少なくも１台のコンピュータに判断させるためのコードと；
前記セルにキャンプしている前記状態に少なくとも基づいて、前記ＵＥがセル再選択のための１つまたは複数の測定を実行するのを少なくとも１台のコンピュータに容易にさせるためのコードと；
を備えるコンピュータ可読媒体を備えるコンピュータプログラム製品。
【請求項２４】
前記ＵＥは、前記ＵＥが限定的なサービスを受けるか、サービスをまったく受けない任意セルへのキャンプ状態で前記セルにキャンプされている、請求項２３に記載のコンピュータプログラム製品。
【請求項２５】
前記コンピュータ可読媒体は、少なくとも１台のコンピュータに異周波数または異ＲＡＴ（無線アクセス技術）測定の１つまたは複数を１つまたは複数の同一周波数測定に優先させるためのコードをさらに備える、請求項２４に記載のコンピュータプログラム製品。
【請求項２６】
前記コンピュータ可読媒体は、少なくとも１台のコンピュータに前記異周波数または異ＲＡＴ測定の少なくとも１つで特定された最適なセルに正常キャンプさせるためのコードをさらに備える、請求項２５に記載のコンピュータプログラム製品。
【請求項２７】
前記コンピュータ可読媒体は、異周波数または異ＲＡＴ測定の少なくとも１つで特定されたセルがない場合に、少なくとも１台のコンピュータに前記同一周波数測定を実行させるためのコードをさらに備える、請求項２５に記載のコンピュータプログラム製品。
【請求項２８】
前記ＵＥは１つまたは複数の優先周波数の利用を許可されており、非優先周波数にキャンプされている、請求項２４に記載のコンピュータプログラム製品。
【請求項２９】
前記コンピュータ可読媒体は、前記ＵＥが前記優先周波数の１つまたは複数を利用できるか否かを判断する前記異周波数測定を少なくとも１台のコンピュータに実行させるためのコードをさらに備える、請求項２７に記載のコンピュータプログラム製品。
【請求項３０】
少なくとも１台のコンピュータに前記ＵＥが利用できる前記１つまたは複数の優先周波数の少なくとも１つにキャンプさせるためのコードを前記コンピュータ可読媒体がさらに備える、請求項２９に記載のコンピュータプログラム製品。
【請求項３１】
前記コンピュータ可読媒体は、前記セル再選択の前記測定中に１つまたは複数の他のセルのアクセス関連情報を少なくとも１台のコンピュータに読み取らせるためのコードをさらに備える、請求項２３に記載のコンピュータプログラム製品。
【請求項３２】
前記測定は、異周波数測定に関連し、前記アクセス関連情報が各周波数につき最高順位のセルと関連する、請求項３１に記載のコンピュータプログラム製品。
【請求項３３】
前記コンピュータ可読媒体は、少なくとも１台のコンピュータに前記アクセス関連情報に基づき前記１つまたは複数の他のセルを優先および非優先のカテゴリに分類させるためのコードをさらに備える、請求項３１に記載のコンピュータプログラム製品。
【請求項３４】
前記コンピュータ可読媒体は、少なくとも１台のコンピュータに前記非優先のカテゴリの１つまたは複数のセルで無線の質のオフセット値を適用させるためのコードをさらに備え、それにより前記ＵＥが異周波数または異ＲＡＴ検索の１つまたは複数で特定された少なくとも１つのセルに移動することを促される、請求項３３に記載のコンピュータプログラム製品。
【請求項３５】
前記コンピュータ可読媒体は、前記ＵＥが「任意セルへのキャンプ」状態で禁止セルにキャンプされているときに、前記ＵＥがセル再選択パラメータを用いて代替セルを特定するのを少なくとも１台のコンピュータに容易にさせるためのコードをさらに備える、請求項２３に記載のコンピュータプログラム製品。
【請求項３６】
セル選択を容易にするシステムであって、
ＵＥのセル再選択の測定手順を、前記ＵＥがセルに現在キャンプされている状態に基づいて実行するための手段と；
前記ＵＥが現在キャンプされている前記状態を判断するシステム情報を受信するための手段と；
を備えるシステム。
【請求項３７】
前記状態は「任意セルへのキャンプ」状態であり、前記測定手順は異周波数検索または異ＲＡＴ検索の１つまたは複数を同一周波数検索に優先させる、請求項３６に記載のシステム。
【請求項３８】
前記実施手段は、１つまたは複数の優先周波数にある前記ＵＥを他の１つまたは複数の非優先周波数と比較して優先させる、請求項３６に記載のシステム。
【請求項３９】
前記測定手順は、前記ＵＥが任意セルへのキャンプ状態で前記非優先周波数の１つにキャンプされているときに、前記ＵＥが前記優先周波数の少なくとも１つに正常キャンプ状態でキャンプできるか否かを判断する１つまたは複数の異周波数測定を実行する、請求項３８に記載のシステム。
【請求項４０】
前記ＵＥがキャンプするための前記測定手順中に複数のセルを順位付けするために、少なくとも１つのセルと関連付けられた１つまたは複数のアクセス制限を備える前記システム情報を受信する手段をさらに備える、請求項３６に記載のシステム。
【発明の詳細な説明】
【関連出願の相互参照】
【０００１】
本出願は、２００７年６月１９日に出願され、「ＭＥＴＨＯＤ  ＡＮＤ  ＡＰＰＡＲＡＴＵＳ  ＦＯＲ  ＣＥＬＬ  ＲＥＳＥＬＥＣＴＩＯＮ  ＥＮＨＡＮＣＥＭＥＮＴ  ＦＯＲ  Ｅ−ＵＴＲＡＮ」と題し、その全体が参照により本明細書に組み込まれる米国仮特許出願第６０／９４５，０６８号の利益を主張する。
【技術分野】
【０００２】
【背景技術】
【０００３】
無線通信システムは、音声、データ、ビデオなど様々な種類の通信を提供するために広く導入されている。これらのシステムは、利用可能なシステムリソース（例：帯域幅および送信電力）を共有することによって多元接続端末との通信をサポートできる多元接続システムであり得る。かかる多元接続システムの例には、符号分割多元接続（ＣＤＭＡ）システム、時分割多元接続（ＴＤＭＡ）システム、周波数分割多元接続（ＦＤＭＡ）システム、３ＧＰＰのロングタームエボリューション（ＬＴＥ）システム、および直交周波数分割多元接続（ＯＦＤＭＡ）システムが含まれる。典型的には、無線通信システムは複数の基地局を含み、各基地局は順方向リンクを用いて移動局と通信し、各移動局（またはアクセス端末）は逆方向リンクを用いて基地局と通信する。
【０００４】
一般に、無線多元接続通信システムは、複数の無線端末の通信を同時にサポートすることができる。各端末は、順方向リンクおよび逆方向リンクでの伝送によって、１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単一入力単一出力（ＳＩＳＯ）、複数入力単一出力（ＭＩＳＯ）または複数入力複数出力（ＭＩＭＯ）のシステムを介して設定することができる。
【０００５】
ＭＩＭＯシステムは、データ伝送用の複数（ＮＴ）送信アンテナおよび複数（ＮＲ）受信アンテナを用いる。ＮＴ送信アンテナおよびＮＲ受信アンテナによって形成されるＭＩＭＯチャネルは、ＮＳ≦ｍｉｎ｛ＮＴ，ＮＲ｝の空間チャネルとも呼ばれる複数のＮＳ独立チャネルに分割することができる。各ＮＳ独立チャネルは、１つの次元に対応する。複数送信および受信アンテナによって形成された追加の次元が利用される場合、ＭＩＭＯシステムはパフォーマンスの改善（例：スループットの増大および／または信頼性の向上）をもたらすことができる。
【０００６】
ＭＩＭＯシステムは、時分割二重通信（ＴＤＤ）および周波数分割二重通信（ＦＤＤ）のシステムをサポートする。ＴＤＤシステムでは、順方向リンクと逆方向リンクの伝送が同じ周波数域にあるため、相互的原理（reciprocity principle）により逆方向リンクチャネルから順方向リンクチャネルの推定が可能である。これにより、ｅＮｏｄｅ  Ｂで複数アンテナが利用可能な場合、ｅＮｏｄｅ  Ｂは順方向リンクで送信ビームフォーミングゲインを抽出することができる。
【０００７】
ハンドオーバ手順は、移動局（ＭＳ）またはＵＥを移動可能にするものである。これは、現在の音声／データセッションを１つのｅＮＢ（発展型ノードＢ）から別のｅＮＢに移動することを伴う。ハンドオーバが成功すると、セルの境界を越えているときでもユーザへの中断のない音声サービスが容易になる。ハンドオーバの失敗は、通話の接続中断（dropped calls）の原因であることが多い。ハンドオーバは、現在のセルの信号の質および強度がＵＥのしきい値を下回った場合、近隣のセルに変えることをＵＥに認めるという点で重要なセル移動手順を伴う。よって、無線通信ネットワークのサービスの質を高めるために、検索中にＵＥが様々な属性を持つセルに直面する様々な状況を支配する各種ルールを検討する必要がある。
【発明の概要】
【０００８】
以下では、特許請求内容のいくつかの態様の基本的な理解をもたらすために、特許請求内容の簡略な要約を示す。この要約は、特許請求内容の包括的な概要ではない。特許請求内容の主要なまたは重要な要素を特定することも、特許請求内容の範囲を定めることも意図していない。唯一の目的は、以下に提示するより詳細な説明の前置きとして、特許請求内容のいくつかの概念を簡略な形で提示することである。
【０００９】
ある態様は、無線通信システム内でサービスを提供する方法に関する。この方法は、ＵＥがセルにキャンプされている状態の判断を容易にし、ＵＥが少なくともセルへのキャンプ状態に基づいてセル再選択のための１つまたは複数の測定を実行するのを容易にする。さらなる態様に従い、ＵＥが限定的なサービスを受けるか、サービスをまったく受けない「任意セルへのキャンプ」状態で受容可能なセルにキャンプされている場合、異周波数または異ＲＡＴ（無線アクセス技術）測定が同一周波数測定に優先する。また、「任意セルへのキャンプ」状態は、例えばネットワークオペレータの方針により非優先に分類される周波数にあるセルにＵＥがキャンプしている状態と考えることができる。最適なセルが、異周波数または異ＲＡＴ測定の少なくとも１つで特定され、ＵＥはそこに正常キャンプする。異周波数または異ＲＡＴ測定で最適なセルとして特定されたセルがない場合、サービス提供周波数の中で他のセルを見つけるため、１つまたは複数の同一周波数測定が実行される。さらなる態様では、ＵＥが１つまたは複数の優先周波数の利用を許可され（subscribe）、非優先周波数にキャンプされている場合、ＵＥが優先周波数の１つまたは複数に正常キャンプできるか否かを判断する異周波数測定が実行される。
【００１０】
他の態様は、セル再選択のための測定中に１つまたは複数のセルのアクセス関連情報を読み取ることに関する。測定が異周波数測定に関する場合、各周波数につき最高順位のセルと結び付いたアクセス関連情報が得られ、セルは、アクセス関連情報または別途提供された情報に基づいて優先および非優先のカテゴリで優先順位を付けられる（prioritized）。
【００１１】
他の態様は、非優先カテゴリにあるサービス提供周波数におけるこれらのセルにつき、測定された無線の質にオフセット値を適用し、それによりＵＥが少なくとも異周波数または異ＲＡＴ検索で特定されたセルに移動することを促されることに関する。さらなる態様は、ＵＥが「任意セルへのキャンプ」状態で禁止セルにキャンプされているとき、ＵＥがセル再選択パラメータを用いて代替セルを特定することに関する。
【００１２】
他の態様に従い、通信システム内でセル選択を容易にする装置が開示される。この装置は、ＵＥがセルに現在キャンプされている状態に基づきＵＥのセル再選択の測定手順を実施するプロセッサを備える。メモリコンポーネントは、ＵＥが現在キャンプされている状態を特定するシステム情報を格納する。状態が「任意セルへのキャンプ」状態である場合、プロセッサは、異周波数および／または異ＲＡＴ検索を同一周波数検索に優先させる。同じく装置に備えられる受信コンポーネントは、少なくともセルと結び付いたアクセス制限を備えるシステム情報を受信する。プロセッサは、ＵＥがキャンプするための測定手順中に複数のセルの順位を付けるため、アクセス制限を読み取り、分析する。メモリコンポーネントに格納された１つまたは複数のオフセット値は、ＵＥに「任意セルへのキャンプ」状態でのキャンプを許可するだけのセルと結び付いている。このオフセット値を順位付けプロセスで使用して、異周波数または異ＲＡＴのセルの見た目を改善し、それによりＵＥは、サービス提供周波数から移動することを促される。
【００１３】
他の態様は、少なくとも１台のコンピュータにＵＥがセルにキャンプされている状態を判断させるためのコード、および、少なくとも１台のコンピュータにＵＥが少なくともセルへのキャンプ状態に基づいてセル再選択のための１つまたは複数の測定を実行するのを容易にさせるためのコードを備えるコンピュータ可読媒体を備えるコンピュータプログラム製品に関する。コードは、ＵＥがセルにキャンプされている状態の判断を容易にする。さらに、このコードは、ＵＥが少なくともセルへのキャンプ状態に基づいてセル再選択のための１つまたは複数の測定を実行するのを容易にする。ＵＥが限定的なサービスを受けるかサービスをまったく受けない任意セルへのキャンプ状態でＵＥがセルにキャンプされている場合、前述の媒体は、異周波数または異ＲＡＴ（無線アクセス技術）測定の１つまたは複数を１つまたは複数の同一周波数測定に優先させる命令を備える。
【００１４】
さらに他の態様に従い、セル選択を容易にするシステムが開示される。これは、ＵＥがセルに現在キャンプされている状態に基づきＵＥのセル再選択の測定手順を実施するための手段、およびＵＥが現在キャンプされている状態を判断するシステム情報を受信するための手段を備える。ＵＥが「任意セルへのキャンプ」状態にある場合、測定手順は、異周波数および／または異ＲＡＴ検索の１つまたは複数を同一周波数検索に優先させる。
【００１５】
以下の説明および添付の図面では、特許請求内容の特定の例示的な態様を詳細に示す。ただし、こうした態様は、特許請求内容の原理を利用できる様々な方法のほんの数例を示しているにすぎず、特許請求の内容は、かかる態様およびその均等物のすべてを含むことを意図している。特許請求内容の他の利点および特徴は、特許請求内容の以下の詳細な説明から、図面と併せて考察されると明らかになるであろう。
【図面の簡単な説明】
【００１６】
【図１】１つの実施形態による多元接続無線通信システムを示す図。
【図２】ＭＩＭＯシステムにおけるｅＮｏｄｅ  Ｂおよびアクセス端末（またはＵＥ）の実施形態を示すブロック図。
【図３】本明細書で説明する様々な態様に従った無線多元接続通信システムを示す図。
【図４】ある態様に従ったセル検索の方法を詳述した流れ図。
【図５Ａ】ＵＥが正常キャンプ状態にあるときの、ある態様に従ったＵＥの測定ルールを示す図（graphical depiction）。
【図５Ｂ】ＵＥが任意セルへのキャンプ状態にあるときの、ある態様に従ったＵＥの測定ルールを示す図。
【図６】ＵＥが１つのセルに正常キャンプされているときの、本明細書で説明する測定ルールに従ったセル再選択の手順を詳述する流れ図。
【図７】ＵＥが「任意セルへのキャンプ」モードにあるときの、測定ルールに従ったセル検索の方法を示す流れ図。
【図８Ａ】ＵＥの属性および／またはサービス提供周波数に応じて測定ルールを採用／無視することに関係する別の態様を詳述した流れ図。
【図８Ｂ】周波数の属性およびＵＥが加入しているプランに基づきセル選択／再選択手順に異なる測定ルールを採用できる別の態様に関係する流れ図。
【図９】ある態様に従ったより効果的な順位付けメカニズムを詳述した流れ図。
【図１０】ある態様に従ったセルのカテゴリ化を詳述した流れ図。
【図１１】様々な態様に従ったデバイスの各種コンポーネントの高水準システム図。
【図１２】本明細書で説明する態様に従ったセル選択を可能にするシステム例を示すブロック図。
【発明の詳細な説明】
【００１７】
ここで、図面を参照して特許請求内容を説明する。図中、同じ参照番号は全体を通じて同じ要素を指すために使用される。以下の記述では、説明の目的で、特許請求内容の完全な理解をもたらすために多くの具体的な詳細を示す。ただし、こうした具体的な詳細なしでも特許請求内容を実施できることが明らかであろう。他の例では、特許請求内容の説明を容易にするために、周知の構造およびデバイスをブロック図の形で示している。
【００１８】
ここで、図面を参照して様々な実施形態を説明する。図中、同じ参照番号は全体を通じて同じ要素を指すために使用される。以下の記述では、説明の目的で、１つまたは複数の態様の完全な理解をもたらすために多くの具体的な詳細を示す。ただし、こうした具体的な詳細なしでもかかる実施形態を実施できることが明らかであろう。他の例では、１つまたは複数の実施形態の説明を容易にするために、周知の構造およびデバイスをブロック図の形で示している。本出願で使用する、「コンポーネント」、「モジュール」、「システム」などの用語は、コンピュータ関連のエンティティ、すなわちハードウェア、ファームウェア、ハードウェアとソフトウェアとの組合せ、ソフトウェアまたは実行中のソフトウェアのいずれかを指すことを意図している。例えば、コンポーネントは、プロセッサで実行中のプロセス、プロセッサ、集積回路、オブジェクト、実行可能な、実行のスレッド、プログラムおよび／またはコンピュータでよいが、これらに限定されない。例を挙げると、コンピューティングデバイスで実行中のアプリケーションとコンピューティングデバイスの両方がコンポーネントとなることができる。１つまたは複数のコンポーネントが１つのプロセスおよび／または実行スレッドの中に存在してよく、１つのコンポーネントを１台のコンピュータに配置すること、および／または２台以上のコンピュータ間に分散することができる。また、これらのコンポーネントは、様々なデータ構造を格納している様々なコンピュータ可読媒体から実行することができる。このコンポーネントは、１つまたは複数のデータパケットを有する信号に従うなどしてローカル処理および／またはリモート処理を介して通信することができる（例：信号手段によりローカルシステム、分散システムにおいて別のコンポーネントと、かつ／または他のシステムとインターネットなどのネットワークにわたって交信する１つのコンポーネントからのデータ）。
【００１９】
複数のデバイス、コンポーネント、モジュールなどを含むことができるシステムに関して、様々な実施形態を示す。図との関係で論じる際、各種システムがさらなるデバイス、コンポーネント、モジュールなどを含むことができ、かつ／またはデバイス、コンポーネント、モジュールなどのすべてを含む必要はないことが理解、認識されよう。これらのアプローチの組合せを使用することもできる。
【００２０】
「例示的」（exemplary）という用語は、「例として」（serving as an example, instance, or illustration）を意味するために本明細書において使用される。「例示的」なものとして本明細書で説明する実施形態または設計は、必ずしも他の実施形態または設計より好ましい、または有利であると解釈されるべきものではない。「聞いている」（listening）という用語は、受信デバイス（ｅＮｏｄｅ  ＢまたはＵＥ）が所与のチャネルで受信するデータを受信し処理していることを意味するために本明細書で使用される。
【００２１】
各種態様は、通信リソースの移行との関係で推論スキームおよび／または技術を組み込むことができる。本明細書で使用する「推論」(inference)という用語は一般に、イベントおよび／またはデータを介して取り込まれた１組の観察結果から、システム、環境および／またはユーザの状態を判断または推論するプロセスを指す。推論は、例えば、具体的なコンテクストまたはアクションを識別するために利用することができ、または複数の状態に及ぶ確率分布を生成することができる。推論は確率的、すなわち、データおよびイベントの考慮に基づく、対象となっている複数の状態に及ぶ確立分布の計算とすること、または、ユーザの目標および意図が不透明なコンテクストにおいて確率的推論に基づき組み立て、最も見込まれるユーティリティの表示アクションを考える決定論的なものとすることができる。推論はまた、１組のイベントおよび／またはデータからより高い水準のイベントを構成するために用いる技術を指すこともある。かかる推論の結果、１組の観察されたイベントおよび／または格納されたイベントデータから、そのイベントが時間的に接近した近接性で相関付けられていてもいなくても、かつそのイベントおよびデータが１つのイベントおよびデータ送信装置に由来するのか、それともいくつかのイベントおよびデータ送信装置に由来するのかに関わらずに、新しいイベントまたはアクションが構成される。
【００２２】
さらに、加入者局との関係で本明細書において各種態様を説明する。加入者局は、システム、加入者ユニット、移動局、モバイル、リモート局、アクセスポイント、ｅＮｏｄｅ  Ｂ、リモート端末、アクセス端末、ユーザ端末、ユーザエージェント、ユーザデバイス、モバイルデバイス、ポータブル通信デバイスまたはユーザ機器（ＵＥ）と呼ばれることもある。加入者局は、セルラ電話、コードレス電話、セッション確立プロトコル（ＳＩＰ）電話、無線ローカルループ（ＷＬＬ）局、携帯情報端末（ＰＤＡ）、無線接続能力を備える手持ち式デバイス、または無線モデムに接続した他の処理デバイスであってよい。
【００２３】
さらに、本明細書で説明する様々な態様または特徴は、標準的なプログラミングおよび／またはエンジニアリング技術を用いた方法、装置または製造物として実行することができる。本明細書で使用する「製造物」という用語は、コンピュータ可読のデバイス、キャリアまたは媒体からアクセスできるコンピュータプログラムを包含することを意図している。例えば、コンピュータ可読媒体は、磁気記憶デバイス（例：ハードディスク、フロッピー（登録商標）ディスク、磁気ストリップ）、光ディスク（例：コンパクトディスク（ＣＤ）、デジタル多目的ディスク（ＤＶＤ））、スマートカード、フラッシュメモリデバイス（例：カード、スティック、キードライブ）を含むことができるが、これらに限定されない。さらに、本明細書で説明する各種記憶媒体は、情報を格納するための１つまたは複数のデバイスおよび／または他の機械可読媒体を表すことがある。「機械可読媒体」という用語は、（１つまたは複数の）命令および／またはデータを格納、収容および／または伝送できる無線チャネルおよび様々な他の媒体を含むことができるが、これらに限定されない。
【００２４】
本明細書で説明する技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワークなどの様々な無線通信ネットワークに使用することができる。「ネットワーク」および「システム」という用語は、しばしば互換的に使用される。ＣＤＭＡネットワークは、ユニバーサル地上無線アクセス（ＵＴＲＡ）、ＣＤＭＡ２０００などの無線技術を実施することができる。ＵＴＲＡは、広帯域ＣＤＭＡ（Ｗ−ＣＤＭＡ）および低チップレート（ＬＣＲ）を含む。ＣＤＭＡ２０００は、ＩＳ−２０００、ＩＳ−９５およびＩＳ−８５６規格をカバーする。ＴＤＭＡネットワークは、グローバル移動体通信システム（ＧＳＭ）などの無線技術を実施することができる。ＯＦＤＭＡネットワークは発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実施することができる。ＵＴＲＡ、Ｅ−ＵＴＲＡおよびＧＳＭはユニバーサル移動体通信システム（ＵＭＴＳ）の一部である。ロングタームエボリューション（ＬＴＥ）は、Ｅ−ＵＴＲＡを使用するＵＭＴＳの次期リリース版である。ＵＴＲＡ、Ｅ−ＵＴＲＡ、ＧＳＭ、ＵＭＴＳおよびＬＴＥは、「第３世代パートナーシッププロジェクト」（３ＧＰＰ）という名の組織による文書に記載されている。ＣＤＭＡ２０００は、「第３世代パートナーシッププロジェクト２」（３ＧＰＰ２）という名の組織による文書に記載されている。これらの様々な無線技術および規格は、当分野では知られている。明確にするために、この技術の一部の態様を、ＬＴＥに関して以下で説明する。ＬＴＥという用語は、以下の説明の多くで使用される。
【００２５】
単一キャリア周波数分割多元接続（ＳＣ−ＦＤＭＡ）は、単一キャリア変調および周波数ドメイン等化を利用する１つの技術（technique）である。ＳＣ−ＦＤＭＡは、ＯＦＤＭＡシステムと同様のパフォーマンス、およびＯＦＤＭＡシステムと基本的に同じ全体的な複雑性を有する。ＳＣ−ＦＤＭＡ信号は、固有の単一キャリア構造のため、ピーク対平均電力比（ＰＡＰＲ）が相対的に低い。ＳＣ−ＦＤＭＡは特に、送信電力効率の点で、低いＰＡＰＲがモバイル端末に大きな恩恵を与えるアップリンク通信において、大きな関心を集めている。これは現在、３ＧＰＰのロングタームエボリューション（ＬＴＥ）または発展型ＵＴＲＡのアップリンク多元接続スキームの作業仮説である。
【００２６】
図１を参照すると、１つの実施形態による多元接続無線通信システムが示されている。ｅＮｏｄｅ  Ｂ１００は、複数アンテナグループを含み、そのうち、第１のグループはアンテナ１０４および１０６を含み、別のグループは１０８および１１０を含み、さらに別のグループは１１２および１１４を含む。図１では、各アンテナグループにつきアンテナは２つのみ示されているが、各アンテナグループにこれよりも多いアンテナまたは少ないアンテナを用いてよい。ＵＥ（ユーザ機器）またはＡＴ（アクセス端末）１１６は、アンテナ１１２および１１４と通信し、アンテナ１１２および１１４は、順方向リンク１２０を介してＵＥ１１６に情報を送信し、逆方向リンク１１８を介してＵＥ１１６から情報を受信する。ＵＥ１２２は、アンテナ１０６および１０８と通信し、アンテナ１０６および１０８は、順方向リンク１２６を介してＵＥ１２２に情報を送信し、逆方向リンク１２４を介してＵＥ１２２から情報を受信する。ＦＤＤシステムでは、通信リンク１１８、１２０、１２４および１２６は、通信に際して異なる周波数を用いることができる。例えば、順方向リンク１２０は、逆方向リンク１１８が用いる周波数と異なる周波数を用いることができる。各アンテナグループおよび／またはアンテナが通信するよう設計されたエリアは、しばしばアクセスポイントまたはｅＮｏｄｅ  Ｂのセクターと呼ばれる。この実施形態では、アンテナグループは、ｅＮｏｄｅ  Ｂ１００がカバーするエリア内のセクターでＵＥと通信するよう、それぞれ設計されている。
【００２７】
順方向リンク１２０および１２６を介した通信では、ｅＮｏｄｅ  Ｂ１００の送信アンテナは、様々なＵＥ１１６および１２４向けの順方向リンクのＳＮ比を改善するため、ビームフォーミングを利用する。また、対象エリアにランダムに分布するＵＥに送信するためビームフォーミングを使用するｅＮｏｄｅ  Ｂは、すべてのＵＥに単一アンテナを介して送信するｅＮｏｄｅ  Ｂよりも、隣接するセルにあるＵＥへの干渉が少ない。
【００２８】
ｅＮｏｄｅ  Ｂは、端末との通信に使用する固定局であってよく、アクセスポイント、Ｎｏｄｅ  Ｂ、改良型（enhanced）Ｎｏｄｅ  Ｂ（ｅＮｏｄｅ  Ｂ）と呼ばれたり、他の用語で呼ばれたりすることもある。アクセス端末（ＡＴ）は、ユーザ機器（ＵＥ）、無線通信デバイス、端末と呼ばれたり、他の用語で呼ばれたりすることもある。
【００２９】
図２は、ＭＩＭＯシステム２００におけるｅＮｏｄｅ  Ｂ２１０およびアクセス端末（ＡＴ）またはユーザ機器（ＵＥ）２５０の実施形態のブロック図である。ｅＮｏｄｅ  Ｂ２１０において、いくつかのデータストリームのためのトラフィックデータが、データ送信装置２１２から送信（ＴＸ）データプロセッサ２１４へ提供される。
【００３０】
ある実施形態では、各データストリームは、それぞれの送信アンテナを介して送信される。ＴＸデータプロセッサ２１４は、各データストリームのためのトラフィックデータを、そのデータストリームのために選択された特別のコード体系に基づきフォーマット、コーディング、インタリーブして、コード化データを提供する。
【００３１】
各データストリームのコード化データを、ＯＦＤＭ技術を用いて試験用データで多重化することができる。試験用データは、典型的には既知の方法で処理される既知のデータパターンであり、チャネル応答を推定するため受信システムで使用することができる。次いで、各データストリームの多重化された試験用のコード化データは、そのデータストリームのために選択された特別の変調体系（例：ＢＰＳＫ、ＱＳＰＫ、Ｍ−ＰＳＫまたはＭ−ＱＡＭ）に基づき変調（すなわち、シンボルマップ）され、変調シンボルを提供する。各データストリームのデータ率、コーディングおよび変調は、プロセッサ２３０が実行する命令によって決定することができる。
【００３２】
次いで、すべてのデータストリームの変調シンボルがＴＸ  ＭＩＭＯプロセッサ２２０へ提供され、ＭＩＭＯプロセッサ２２０は、（例えばＯＦＤＭのために）変調シンボルをさらに処理することができる。次いで、ＴＸ  ＭＩＭＯプロセッサ２２０は、ＮＴ変調記号ストリームを２２２ａから２２２ｔまでのＮＴ送信機（ＴＭＴＲ）に提供する。ある実施形態では、ＴＸ  ＭＩＭＯプロセッサ２２０は、データストリームの記号および記号を送信しているアンテナにビームフォーミングウェイトを適用する。
【００３３】
各送信機２２２は、それぞれの記号ストリームを受信および処理して１つまたは複数のアナログ信号を提供し、アナログ信号をさらに条件設定（例：増幅、フィルタリングおよびアップコンバート）して、ＭＩＭＯチャネルを介した送信に適した変調信号を提供する。次いで、２２２ａから２２２ｔまでの送信機からのＮＴ変調信号が、それぞれ２２４ａから２２４ｔまでのＮＴアンテナから送信される。
【００３４】
ＵＥ２５０では、送信された変調信号は、２５２ａから２５２ｒまでのＮＲアンテナによって受信され、各アンテナ２５２からの受信信号は、２５４ａから２５４ｒまでのそれぞれの受信機（ＲＣＶＲ）に提供される。各受信機２５４は、それぞれの受信信号を条件設定（例：フィルタリング、増幅およびダウンコンバート）し、条件設定された信号をデジタル化してサンプルを提供し、サンプルをさらに処理して対応する「受信」記号ストリームを提供する。
【００３５】
次いで、ＲＸデータプロセッサ２６０が、特別の受信機処理技術に基づいて、ＮＲ受信機２５４からのＮＲ受信記号ストリームを受信および処理して、ＮＴ「検出」記号ストリームを提供する。受信記号または他の情報は、対応するメモリ２７２に格納することができる。次いで、ＲＸデータプロセッサ２６０は、各検出記号ストリームを復調、ディインタリーブおよび復号して、データストリームのトラフィックデータを回復する。ＲＸデータプロセッサ２６０による処理は、ｅＮｏｄｅ  Ｂ２１０におけるＴＸ  ＭＩＭＯプロセッサ２２０およびＴＸデータプロセッサ２１４によって実行される処理と相補的である。
【００３６】
プロセッサ２７０は、（後述する）どのプリコーディング行列を使用するかを定期的に決める。プロセッサ２７０は、行列インデックス部分およびランク値部分を備える逆方向リンクメッセージを公式化する。
【００３７】
逆方向リンクメッセージは、通信リンクおよび／または受信データストリームに関する各種情報を備える。逆方向リンクで受信された情報は、対応するメモリ２３２に格納する。次いで、逆方向リンクメッセージは、ＴＸデータプロセッサ２３８（これは、データ送信装置２３６から複数のデータストリームのトラフィックデータも受信する）によって処理され、変調装置２８０によって変調され、２５４ａから２５４ｒまでの送信機によって条件設定され、送信機システム２１０に返送される。
【００３８】
ｅＮｏｄｅ  Ｂ２１０では、受信機システム２５０からの変調信号は、アンテナ２２４によって受信され、受信機２２２によって条件設定され、復調装置２４０によって復調され、ＲＸデータプロセッサ２４２によって処理されて、受信機システム２５０によって送信された逆方向リンクメッセージを抽出する。次いで、プロセッサ２３０は、ビームフォーミングウェイトを決定するためにどのプリコーディング行列を使用するかを決め、その後、抽出メッセージを処理する。
【００３９】
ある態様では、論理チャネルは制御チャネルとトラフィックチャネルに分類される。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。１つまたは複数のＭＴＣＨのマルチメディアブロードキャスト／マルチキャストサービス（ＭＢＭＳ）のスケジューリングおよび制御情報を送信するために使われるポイント−マルチポイントＤＬチャネルであるマルチポイント制御チャネル（ＭＣＣＨ）。一般に、ＲＲＣ接続を設定した後、このチャネルはＭＢＭＳを受けるＵＥによって使用されるだけである。専用制御チャネル（ＤＣＣＨ）は、専用制御情報を送信する二地点間双方向チャネルであり、ＲＲＣ接続を有するＵＥによって使用される。ある態様では、論理トラフィックチャネルは、ユーザ情報の転送のため、１つのＵＥ専用の、二地点間双方向チャネルである専用トラフィックチャネル（ＤＴＣＨ）を備える。また、トラフィックデータを送信するためのポイント−マルチポイントＤＬチャネル向けのマルチキャストトラフィックチャネル（ＭＴＣＨ）。
【００４０】
ある態様では、トランスポートチャネルはＤＬとＵＬに分類される。ＤＬトランスポートチャネルは、ブロードキャストチャネル（ＢＣＨ）、ダウンリンク共有チャネル（ＤＬ−ＳＣＨ）およびページングチャネル（ＰＣＨ）を備え、ＰＣＨは、ＵＥの省電力化をサポートするためのもので（ＵＥへのネットワークによってＤＲＸサイクルが示される）、セル全体にわたりブロードキャストされ、他の制御／トラフィックチャネルのために使用され得るＰＨＹリソースにマップされる。ＭＢＭＳに対応するＤＬトランスポートチャネルは、マルチキャストチャネル（ＭＣＨ）である。ＵＬトランスポートチャネルは、ランダムアクセスチャネル（ＲＡＣＨ）、アップリンク共有データチャネル（ＵＬ−ＳＤＣＨ）および複数のＰＨＹチャネルを備える。ＰＨＹチャネルは、１組のＤＬチャネルおよびＵＬチャネルを備える。
【００４１】
ＤＬ  ＰＨＹチャネルおよび信号は以下を備える。
【００４２】
参照信号（ＲＳ）
プライマリおよびセカンダリ同期信号（ＰＳＳ／ＳＳＳ）
物理ダウンリンク共有チャネル（ＰＤＳＣＨ）
物理ダウンリンク制御チャネル（ＰＤＣＣＨ）
物理マルチキャストチャネル（ＰＭＣＨ）
物理ＨＡＲＱインディケータチャネル（ＰＨＩＣＨ）
物理制御フォーマットインディケータチャネル（ＰＣＦＩＣＨ）
ＵＬ  ＰＨＹチャネルは以下を備える。
【００４３】
物理ランダムアクセスチャネル（ＰＲＡＣＨ）
物理アップリンク制御チャネル（ＰＵＣＣＨ）
チャネル品質情報（ＣＱＩ）
プリコーディングマトリクスインディケータ（ＰＭＩ）
ランクインディケータ（ＲＩ）
スケジューリング要求（ＳＲ）
アップリンクＡＣＫ／ＮＡＫ
物理アップリンク共有チャネル（ＰＵＳＣＨ）
サウンディング参照信号（ＳＲＳ）
ある態様では、単一搬送波の低ＰＡＲ（所与の時間に、チャネルは周波数に連続した、または均等の空間を作っている）特性を保存するチャネル構造が提供される。
【００４４】
本書の目的上、以下の略語を使用する。
【００４５】
ＡＭ            認知モード
ＡＭＤ          認知モードデータ
ＡＲＱ          自動再送要求
ＢＣＣＨ        ブロードキャスト制御チャネル
ＢＣＨ          ブロードキャストチャネル
Ｃ−            制御
ＣＣＣＨ        共通制御チャネル
ＣＣＨ          制御チャネル
ＣＣＴｒＣＨ    コード化統合トランスポートチャネル
ＣＰ            巡回プレフィックス
ＣＲＣ          巡回冗長検査
ＣＴＣＨ        共通トラフィックチャネル
ＤＣＣＨ        専用制御チャネル
ＤＣＨ          専用チャネル
ＤＬ            ダウンリンク
ＤＳＣＨ        ダウンリンク共有チャネル
ＤＴＣＨ        専用トラフィックチャネル
ＦＡＣＨ        順方向リンクアクセスチャネル
ＦＤＤ          周波数分割二重通信
Ｌ１            層１（物理層１）
Ｌ２            層２（データリンク層）
Ｌ３            層３（ネットワーク層）
ＬＩ            長さ表示
ＬＳＢ          最下位ビット
ＭＡＣ          媒体アクセス制御
ＭＢＭＳ        マルチメディアブロードキャストマルチキャストサービス
ＭＣＣＨ        ＭＢＭＳポイント−マルチポイント制御チャネル
ＭＲＷ          移動受信ウィンドウ
ＭＳＢ          最上位ビット
ＭＳＣＨ        ＭＢＭＳポイント−マルチポイントスケジューリングチャネル
ＭＴＣＨ        ＭＢＭＳポイント−マルチポイントトラフィックチャネル
ＰＣＣＨ        ページング制御チャネル
ＰＣＨ          ページングチャネル
ＰＤＵ          プロトコルデータユニット
ＰＨＹ          物理層
ＰｈｙＣＨ      物理チャネル
ＲＡＣＨ        ランダムアクセスチャネル
ＲＬＣ          無線リンク制御
ＲＲＣ          無線リソース制御
ＳＡＰ          サービスアクセスポイント
ＳＤＵ          サービスデータユニット
ＳＮ            シーケンス番号
ＳＵＦＩ        スーパーフィールド
ＴＣＨ          トラフィックチャネル
ＴＤＤ          時分割二重通信
ＴＦＩ          トランスポートフォーマットインディケータ
ＴＭ            透過モード
ＴＭＤ          透過モードデータ
ＴＴＩ          伝送時間間隔
Ｕ−            ユーザ
ＵＥ            ユーザ機器
ＵＬ            アップリンク
ＵＭ            非認知モード
ＵＭＤ          非認知モードデータ
ＵＭＴＳ        ユニバーサル移動通信システム
ＵＴＲＡ        ＵＭＴＳ地上無線アクセス
ＵＴＲＡＮ      ＵＭＴＳ地上無線アクセスネットワーク
ＭＢＳＦＮ      マルチキャストブロードキャスト単一周波数ネットワーク
ＭＣＥ          ＭＢＭＳ統合（coordinating）エンティティ
ＭＣＨ          マルチキャストチャネル
ＤＬ−ＳＣＨ    ダウンリンク共有チャネル
ＭＳＣＨ        ＭＢＭＳ制御チャネル
ＰＤＣＣＨ      物理ダウンリンク制御チャネル
ＰＤＳＣＨ      物理ダウンリンク共有チャネル
ＭＢＳＦＮ      マルチキャストブロードキャスト単一周波数ネットワーク
ＭＣＥ          ＭＢＭＳ統合エンティティ
ＭＣＨ          マルチキャストチャネル
ＤＬ−ＳＣＨ    ダウンリンク共有チャネル
ＭＳＣＨ        ＭＢＭＳ制御チャネル
ＰＤＣＣＨ      物理ダウンリンク制御チャネル
ＰＤＳＣＨ      物理ダウンリンク共有チャネル
ＰＵＣＣＨ      物理アップリンク制御チャネル
ＰＵＳＣＨ      物理アップリンク共有チャネル
図３は、様々な態様に従った無線多元接続通信システム３００を示している。１つの例では、無線多元接続通信システム３００は、複数のｅＮｏｄｅ  Ｂ３１０および複数のＵＥ３２０を含む。各ｅＮｏｄｅ  Ｂ３１０は、特定の地理的エリア３０２（例：３０２ａ、３０２ｂ、３０２ｃ）を通信対象とする。用語「セル」は、この用語が使用される文脈に応じて、ｅＮｏｄｅ  Ｂおよび／またはその対象エリアを指す。システム容量を改善するため、アクセス端末の対象エリアは、複数の小エリア、例えば、３つの小エリア３０４ａ、３０４ｂおよび３０４ｃに分割することができる。各小エリアは、それぞれのｅＮｏｄｅ  Ｂがサービスを提供する。用語「セクター」は、この用語が使用される文脈に応じて、ｅＮｏｄｅ  Ｂおよび／またはその対象エリアを指す。セクターに分かれたセルでは、そのセルのすべてのセクターに対する複数のｅＮｏｄｅ  Ｂは通常、そのセルの基地局内で共存している（co-located）。本明細書で説明するシグナリング送信技術は、セクターに分かれたセルを有するシステムのほか、セクターに分かれていないセルを有するシステムでも使用することができる。話を簡単にするため、以下の説明では、用語「基地局」またはｅＮｏｄｅ  Ｂを、セクターにサービスを提供する局のほか、セルにサービスを提供する局に関しても一般的に使用する。
【００４６】
端末またはＵＥ３２０は通常、システム中に分散しており、各ＵＥは固定式または移動式であり得る。端末は、移動局、ユーザ機器（ＵＥ）と呼ばれたり、他のデバイスの名前で呼ばれたりすることもあり、これらの機能の一部または全部を含むことができる。端末は、無線デバイス、セルラ電話、携帯情報端末（ＰＤＡ）、無線モデムカードなどであってよい。端末は、所与の時間に順方向リンクおよび逆方向リンクで１つまたは複数の基地局と通信することも、基地局と通信しないこともある。
【００４７】
集中型アーキテクチャでは、システムコントローラ３３０は、ＡＰ３１０と結び付き、これらの基地局の調整および制御を行う。システムコントローラ３３０は、単一のネットワークエンティティまたはネットワークエンティティの集合であってよい。分散型アーキテクチャでは、複数のＡＰ３１０が必要に応じて互いに通信する。
【００４８】
スケーラブルな帯域幅へのサポートのある、全二重通信および半二重通信のＦＤＤ（周波数分割二重通信）およびＴＤＤ（時分割二重通信）モードのオペレーションをサポートする無線通信システム設計の１つまたは複数の態様が示されている。しかし、これは必要ではなく、従前のモードに加えて、または従前のモードに代えて他のモードをサポートしてもよい。また、本明細書における概念およびアプローチは、本明細書で説明するその他の概念またはアプローチと共に利用する必要はないことに留意すべきである。
【００４９】
ＵＥが１つの地理的ロケーションから別の地理的ロケーションへ移動するとき、ＵＥに一層適した属性を有するセルが利用可能になり得る。よって、ＵＥが利用できる複数のｅＮＢからサービスを得るために適切なセルを検索および選択すれば、確実に、利用可能なセルの中から最も信頼できるサービスを提供しそうなセルをＵＥが選択することになるため、通信の質を大幅に高めることができる。ＵＥは、様々な無線環境に直面する中で、主にアイドルモード（ＵＥがパケットデータをアクティブに転送／交換していない状態）または接続モード（ＵＥがパケットデータをアクティブに転送／交換している状態）を備える異なるモード間を行ったり来たりすることができる。後述するように、所与のモードの中では、ＵＥはサービス提供セルの質に基づき様々な状態と結び付くことができる。サービス提供セルの質が十分でない、または最適でない場合、ＵＥがより高い質のサービスを提供する別のセルを検索してそのセルへ移動する方法を定める各種ルールがある。サービス提供セルの質に基づいてＵＥの行動を支配するルールを最適化することで、通信サービスの信頼性が高まる。
【００５０】
ここにおいて説明する様々な態様は、「任意セルへのキャンプ状態」におけるセルの再選択および対応する測定行動と関係がある。これらの態様は、ネットワークオペレータが提供するサービスの面でユーザが制限される状況を最小限にする。このスキーム案は、ＵＥが質の高い通信サービスを受けられるよう、「任意セルへのキャンプ状態」にある間に適切なセルを見つけるのをサポートする。
【００５１】
説明を簡単にするため、例えば流れ図の形で本明細書に示す１つまたは複数の方法は、一連の動作として示し説明しているが、本発明は動作の順序によって限定されず、いくつかの動作は、本発明に従い、異なる順序で、かつ／または本明細書において示し説明しているものによる他の動作と同時に行うことができることを理解し認識すべきである。例えば、当業者は、１つの方法を、状態図などで一連の相関する状態またはイベントとして代替的に示すことができることを理解し認識する。また、本発明に従った方法を実施するために、例示したすべての動作が要求されるわけではない。
【００５２】
図４は、ある態様に従ったセル検索の方法を詳述した流れ図４００である。ユーザ要求に応じて（手動モード）または定期的に（自動モード）、ＵＥは利用可能なすべてのＰＬＭＮ（公衆陸上移動ネットワーク）を検索し始める。したがって、４０２では、ＵＥの視野にあるセルによってブロードキャストされる情報からネットワークに関する基本的な詳細を受け取る。この情報は、セルで使用できるチャネル、セルを使用するときの測定の方法、またはＢＣＣＨ（ブロードキャスト制御チャネル）送信などを介してすべてのＵＥにブロードキャストされる他のシステム情報に関する詳細を備える。さらなる態様では、ＵＥに対応するメモリにシステム情報を格納する。４０４では、システム情報に基づき、複数のセルがＳ基準（選択基準）を満たす最適のセルを特定するため評価され、それが禁止もしくは予約（reserved）されていないこと、またはそれが禁止されたトラッキング／ロケーションエリアに属していないことを条件とする。これは、ある態様に従い、各セルにつき、当該セルと結び付いたＰＬＭＮを特定するため、ＵＥによって、ＭＩＢ（マスター情報ブロック）を読み取ることによって推論する。したがって、４０６に示すように、適切なセルが見つかったかどうか判断される。適切なセルが特定された場合、４０８に示すように、ＵＥはそのセルにキャンプする。ＵＥのこの状態は「正常キャンプ」状態と言うことができ、ＵＥは登録ＰＬＭＮのセルにキャンプされており、ロケーション登録プロセスが完了次第、呼び出しを実行および受信することができる。これによりＵＥは、受信レベルおよびシステム情報を監視すること、ならびにセルの再選択が必要か否かをチェックすることができる。よって、信頼できる通信サービスをＵＥに提供するためのすべての要件を現在のセルが満たしている場合、「正常キャンプ」状態にあるＵＥにとって、セル再選択の測定は選択的なものである。４０６において適切なセルを特定できない場合、４１０に示すようにＵＥは利用可能なセルの位置を特定しようとする。あるセルが利用可能な場合、４１２に示すように、ＵＥは「任意セルへのキャンプ」状態でそのセルにキャンプする。これは、サービスが限定された状態であり、例えば、ＵＥは緊急呼び出しのみ許される。この状態に入ると、ＵＥは最良のセルの検索（セルの再選択）を続け、そのため手順はステップ４１２からステップ４０２に戻る。同様に、ＵＥがキャンプできるセルがない場合、ＵＥは４１０から４０２に戻って引き続き最良のセルを検索する。
【００５３】
よって、セル選択／再選択の手順に関する前述の詳細から分かるように、ＵＥの行動は、サービス提供セルの質に基づいている。一般に、ＵＥの行動はいくつかの測定ルールに基づいており、この測定ルールは、ＵＥがセル選択／再選択の手順を始めるときの基準となる、所定のしきい値基準であり得る。現在のＷＣＤＭＡ仕様（３ＧＰＰ技術仕様−ＴＳ２５．３０４）は、ＵＥによる測定を最小化するため測定ルールを定めている。基本的に、サービス提供セルの質が特定の基準を満たしている場合、ＵＥは測定を省略することが認められ、同様のメカニズムはＬＴＥにも当てはまる。
【００５４】
図５Ａは、ＵＥが正常キャンプ状態にあるときの、ある態様に従ったＵＥの測定ルールを示す図５００である。この図から分かるように、サービス提供セルの質が特定の所定のしきい値Ｓｉｎｔｒａｓｅａｒｃｈを上回った場合、現在のセルは最良のセルであることを示す（Ｓは、ｄＢ（デシベル）で測定される受信信号の質に基づく選択基準である）。よって、測定ルールはＵＥがさらなる検索を始めるのを阻止し、そのため測定は行われない。この状況は、ＵＥがセルの中心に理想的に位置付けられている場合に起こり得る。ＵＥがモバイルの場合、セルの中心から移動することがあり、結果的にサービス提供セルの質は低下することがある。その質がＳｉｎｔｒａｓｅａｒｃｈを下回った場合、ＵＥは同一周波数検索を開始し、現在のサービス提供セルと同じ周波数内にある他のセル候補を検索する。これは、ＵＥがセルの端に近づいているときに起こり得る。サービス提供セルの質がＳｉｎｔｅｒｓｅａｒｃｈを下回った場合、ＵＥは同一周波数と異周波数の両方でセルを検索する。ＵＥが基地局から遠く離れ、それにより、最良のセル候補を特定するため、サービス提供およびサービス非提供の周波数およびセルの様々な測定を実施する。
【００５５】
現在のＬＴＥ仕様（３ＧＰＰ技術仕様−ＴＳ３６．３０４）に従い、共通の測定ルールが「正常キャンプ」状態および「任意セルへのキャンプ」状態の両方に使用される。一般に、受容可能なセルにキャンプしているＵＥは、異なる周波数またはＲＡＴにおいて一層適したセルが見つかる確率が相対的に高いことに留意されたい。しかし、測定ルールは通常、同一周波数測定を異周波数および異ＲＡＴに優先させる。よって、「任意セルへのキャンプ」状態において異周波数測定を同一周波数測定に優先させる別の測定ルールにより、ＵＥは現在のサービス非提供セル／周波数から移動するために検索手順を始めることを促される。これらの代替的測定ルールは、別の１組のＳｉｎｔｒａｓｅａｒｃｈ、ＳｉｎｔｅｒｓｅａｒｃｈおよびＳＳｅａｒｃｈＲＡＴパラメータ、または特別な所定のルール（例：常に検索し、Ｓ検索のパラメータ（S..search parameters）を無視する）のいずれかに基づくことができる。よって、ＵＥのキャンプ状態に基づく様々な測定ルールを有することが、顧客に提供されるサービスが限定される状況をオペレータが可能な限り最小化するのを容易にする「任意セルへのキャンプ状態」でのセル再選択および対応する測定行動の枠組みを提供（institute）している。
【００５６】
上に詳述したように、無線の最良のセルが最初の検索で特定されなかった場合、ＵＥは任意の利用可能なセルにキャンプし、「任意セルへのキャンプ」状態で限定的なサービスを提供される。ＵＥは、より適したセルを選択してそのセルにキャンプすることを可能にするセル再選択手順を開始することにより、さらに質の高いセルを引き続き検索することができる。ＵＥがＦＤＤセルで正常キャンプ状態または任意セルへのキャンプ状態のいずれかにあるとき、ＵＥは、サービス提供セルが示す同一周波数、異周波数および異ＲＡＴのセルの検出、同期化および監視を試みることができる。図５Ｂは、ＵＥが「任意セルへのキャンプ」状態にあるときの、ある態様に従ったＵＥの測定ルールの図５５０である。図から分かるように、サービス提供セルの質が所定のしきい値ＳｉｎｔｒｅｓｅａｒｃｈおよびＳｉｎｔｒａｓｅａｒｃｈを上回った場合、ＵＥは、「任意セルへのキャンプ」状態にある場合でも、現在の周波数が最良の周波数であり、現在のセルが現在の周波数における最良のセルであると想定することができる。ＵＥがモバイルの場合、サービス提供セルの質は低下することがあり、その質がＳｉｎｔｅｒｓｅａｒｃｈを下回った場合、ＵＥは異周波数検索を開始し、サービス提供周波数以外の周波数およびその周波数内の対応するセル候補を検索する。「正常キャンプ」状態における定められたしきい値と比較すると、「任意セルへのキャンプ」状態のしきい値の方が高いことに留意されたい。これによりＵＥは、より優れたサービスを提供するセルを見つけるためセル再選択の測定処理を開始するのが容易になる。サービス提供セルの質が最初のしきい値Ｓｉｎｔｅｒｓｅａｒｃｈを下回った場合、ＵＥは同一周波数と異周波数の両方を検索する。ＵＥが限定的なサービスを受けているか、サービスをまったく受けていない場合、その要件に最も沿った周波数および対応するセル候補を特定するため、サービス提供およびサービス非提供周波数の様々な測定を実行する。現在のセルの質がより低いしきい値Ｓｉｎｔｒａｓｅａｒｃｈをも下回った場合、ＵＥは、サービス提供セルによって示される同一周波数、異周波数のセルの検出、同期化および監視を試みる。さらに、ＵＥはしきい値Ｓｉｎｔｒａｓｅａｒｃｈを使用して異ＲＡＴ検索を開始し、サービス提供ＲＡＴ以外のＲＡＴおよびそのＲＡＴ内の対応するセル候補を検索することができる。
【００５７】
図６は、あるセルにＵＥが正常キャンプされているときの、本明細書で説明する測定ルールに従ったセル再選択の手順を詳述した流れ図６００である。この手順は６２２で始まり、ここでは、現在のサービス提供セルの質が低下しているか否かが判断される。現在のセルの質が所定のしきい値を安定的に上回り続けている場合、６２４に示すように測定は行われず、６２６に示すようにＵＥは引き続き同じセルにキャンプする。ある態様に従い、ＵＥは、より優れたセルを見つけるために、現在のセルの質が安定的に維持されている場合でも再選択手順を続けることができる。ＵＥに現在サービスを提供しているセルの質が低下していると６２２で判断された場合、現在のセルの質がＳｉｎｔｒａｓｅａｒｃｈを上回るか否かがさらに判断される。Ｙｅｓの場合、６２４に示すように、測定は行われず、６２６に示すようにＵＥは現在のセルにとどまる。現在のセルの質がＳｉｎｔｒａｓｅａｒｃｈを下回ると６２８で判断された場合、６３０に示すように、ＵＥは、より優れたサービスを提供できる他のセルが現在の周波数内にあるかどうかを判断し始める。６３２でより優れたセルが特定された場合、６３４に示すように、ＵＥはその特定されたセルにキャンプする。６３２で現在の周波数内で別のセルが特定されなかった場合、６３６に進み、現在の周波数にある現在のセルの質がＳｉｎｔｅｒｓｅａｒｃｈを越えて悪化しているか否かが判断される。Ｙｅｓの場合、６３８に進み、より質の高いサービスを提供できるセルを特定するため、他の周波数が測定される。現在のセルの質がＳｉｎｔｅｒｆｒｅｑｕｅｎｃｙを下回る水準まで悪化してないと６３６で判断された場合、６３０に戻り、ＵＥは引き続き同一周波数内で他のセルを測定する。６３８に示すように他の周波数および他の周波数に対応するセルを測定し、現在のセルよりも優れたサービスをＵＥに提供できる別の周波数および対応するセルが見つかったか否かが６４０で判断される。Ｙｅｓの場合、６４２に示すようにＵＥは特定されたセルに正常キャンプする。６４０で別の周波数／セルが特定されなかった場合、周波数／セルが特定されるまで、６３８に示すようにＵＥは測定を続ける。
【００５８】
図７は、ＵＥが「任意セルへのキャンプ」モードにあるときの、測定ルールに従ったセル検索の方法を示す流れ図７００である。最初に７０２において、現在のセルの質がＳｉｎｔｅｒｓｅａｒｃｈを上回っているか否かが判断される。Ｙｅｓの場合、現在のセル／周波数よりも優れたサービスをＵＥに提供できるセル／周波数はないと結論付けられる。よって、７０４に示すように、測定は行われず、７０６に示すように、ＵＥは引き続き現在のセルにキャンプする。７０２において、セルの質がＳｉｎｔｅｒｓｅａｒｃｈを下回ると判断された場合、７０８に示すように、ＵＥは、より優れたサービスを提供する周波数および／またはセルを特定するため、他の周波数およびセルを検索する。７１０において、より優れたサービスをＵＥに提供できるセルが見つかった場合、７１２に示すように、ＵＥはそのセルにキャンプする。セルの属性に基づき、ＵＥは「正常キャンプ」モードまたは「任意セルへのキャンプ」モードのいずれかでそのセルにキャンプすることができる。７１０でセルが特定されなかった場合、７１４に示すように、現在のセルの質が別の所定のしきい値Ｓｉｎｔｒａｓｅａｒｃｈを下回っているか否かがさらに判断される。現在のセルの質がＳｉｎｔｒａｓｅａｒｃｈを上回っている場合、７０８に示すように、ＵＥは引き続き他の周波数およびセルを測定し、そうでない場合、７１６に示すように、ＵＥは同一周波数内で他のセルを測定する。７１８に示すように、より優れたサービスをＵＥに提供できる別のセルが同一周波数内に見つかった場合、７２０に示すように、ＵＥはそのセルにキャンプする。セルの属性に基づき、ＵＥは「正常キャンプ」モードまたは「任意セルへのキャンプ」モードのいずれかでそのセルにキャンプすることができる。７１８でセルが特定されなかった場合、７１６に戻り、ＵＥは、現在のサービス非提供周波数から離れようとして、同一周波数測定を実行する。
【００５９】
この手順では、異周波数測定が同一周波数測定に優先する。この方法は、異周波数測定のみを詳述しているが、様々な態様に従って異周波数または異ＲＡＴ測定の１つまたは複数が同一周波数測定に優先することが理解されよう。よって、あるセルに「任意セルへのキャンプ」モードでキャンプされ、限定的なサービスを受けているかサービスをまったく受けていないＵＥは、現在の周波数にある他のセルだけでなく他の周波数も検索することが促される。この手順は、現在のサービス提供周波数／セルよりも優れたサービスを提供できる周波数／セルをＵＥが特定するのを助けることになる。例えば、禁止されたトラッキングエリアに属するセルにＵＥがキャンプされていて、サービス提供セルがサービス提供周波数の中で最良のセルである場合、ＵＥは同一周波数にある別のセルを、そのセルがＵＥにとって許されるトラッキングエリアに属していたとしても、再選択することはできない。代わりに、他の周波数を検索することで、ＵＥが適切なセルを見つけることもある。
【００６０】
図８Ａは、ＵＥの属性および／またはサービス提供周波数に応じて測定ルールを採用／無視することに関係する別の態様を詳述した流れ図８００である。ＵＥの属性に基づき、前述したように測定ルールをカスタマイズすることができ、あるいは、この方法において後述するように測定ルールを無視することができる。この方法は、８０２で始まり、ＵＥの現在の状態が判断される。８０４に示すように、ＵＥが現在において正常キャンプされている場合、８０６に示すように、その状態に適用できる測定ルールを利用してＵＥ測定を実行する。一方、ＵＥが正常キャンプされていないと判断された場合、８０８に示すように、ＵＥは「任意セルへのキャンプ」状態にあると判断され、限定的なサービスを受けているか、サービスをまったく受けていないこともある。したがって、ＵＥは、８１０に示すように、この状態においてその行動を通常支配する測定ルールを無視し、代わりに、現在のセルを離れてより優れたサービスを提供する別のセルにキャンプするために、８１２にあるように本明細書に詳述するあらゆる種類の異周波数、異ＲＡＴおよび／または同一周波数の測定を実行することができる。よって、ＵＥの状態などのＵＥの属性に基づき、様々な測定ルールを採用することができ、または測定ルールを完全に無視することができる。
【００６１】
図８Ｂは、周波数の属性およびＵＥが加入しているプランに基づき、セル選択／再選択手順に様々な測定ルールを採用できる別の態様に関係する流れ図８２０である。この手順は８２２で始まり、ＵＥが特定の周波数の利用を許可されているか否かが判断される。例えば、ＵＥが加入しているプランは、一般的なプラン加入者が利用できないある優先周波数をＵＥが利用できるプレミアムプランの場合がある。８２２において、ＵＥが標準プランに加入していると判断された場合、８２４に示すように、ＵＥは、そのキャンプ状態に基づく測定ルールなど、それと一般的に対応する測定ルールを引き続き使用する。より質の高いサービスを提供できるある予約周波数へのアクセスを提供するプレミアムプランにＵＥが加入していると８２２において判断された場合、８２６において、ＵＥが予約周波数に現在キャンプされているか否かが判断される。Ｙｅｓの場合、８２４に示すように、ＵＥは、現在の状態に対応する標準的な測定ルールを採用し、最終的に終了ブロックに至る。８２６において、ＵＥが優先／予約周波数にキャンプされていないと判断された場合、８２８に示すように、ＵＥは、優先周波数の検索開始を支援／奨励する測定ルールを採用する。８３０において、優先周波数でサービスを提供する現在のセルおよび／また他のセル内の優先周波数の検索が始まる。ステップ８３２において適切な周波数／セルの位置が特定された場合、８３４に示すように、ＵＥは、その周波数／セルにキャンプし、そうでない場合は、８３０に戻り、優先周波数および／または優先周波数でサービスを提供するセルを引き続き検索する。
【００６２】
上で詳述した様々な選択／再選択手順に従い、ＵＥは一般に、所与の周波数内で無線の質が最も高いキャンプ対象セルの位置特定を試みる。ＵＥは、現在利用されている周波数において最高のセルではないセルにある場合、その周波数にある他のセルに干渉することがある。よって、通信システム内のＵＥは常に、所与の周波数において無線の質が最高の（radio best）セルにキャンプする。したがって、セル選択／再選択手順中に、ＵＥは、順位付けプロセスを開始し、所与の周波数で利用可能なセルすべてを測定し、それらを無線の質で順位付けし、無線の質が最も高いセルにキャンプする。しかし、ＵＥは一般に、順位付けプロセス中にセルのアクセス制限を考慮しない。例えば、所与の周波数でセルを順位付けしている間、ＵＥは、セルのＰＬＭＮｉｄまたはＬＡＣ／ＲＡＣ（ロケーションエリアコード／ルーティングエリアコード）を考慮しない。したがって、登録および未登録ＰＬＭＮ  ＩＤまたは禁止されたロケーション／トラッキングエリアに属するセルは、順位付けプロセスにおいてすべて平等に扱われる。そのため、セルの無線の質のみを考慮している間、ＵＥは最終的に、未登録ＰＬＭＮ  ＩＤまたは禁止されたトラッキングエリア（ＴＡ）内のセルにキャンプすることができる。
【００６３】
図９は、ある態様に従ったより効果的な順位付けメカニズムを詳述した流れ図９００であり、ＵＥは、測定プロセスの一環として、または順位付けプロセスの初めに、各周波数につき最高順位のセルからのアクセス制限関連情報を読み取る。したがって、主要な順位付けプロセスにおいて、ＵＥはその情報を用いて、無線の質のみに基づく弱い比較（soft comparison）ではなく、望ましい周波数層を選択するための強い比較（hard comparison）を行う。その方法は順位付けプロセスを用いる９０２で始まり、ネットワークのＰＬＭＮ内の対応するセルが、その無線の質に基づき利用可能な各周波数につき最初に順位付けされる。９０４において、各周波数につき、周波数に対応する最高順位のセルについて、アクセス制限などのアクセスベースの情報が読み取られる。このアクセス制限情報および／または別途ＵＥに提供される他のアクセス制限情報に基づき、９０６に示すように、セルは、優先または非優先のいずれかにカテゴリ化される。前述したように、ある態様に従い、セルが未登録ＰＬＭＮｉｄまたは禁止されたロケーション／トラッキングエリアと結び付いている場合、そのセルは非優先に分類することができる一方、かかる制限的属性と結び付いていない他のセルは優先セルに分類することができる。９０８において、優先リストにあるセルを評価し、ＵＥが正常キャンプできようになるセル再選択においてそれらが適切な／適した（appropriate/suitable）候補であるか否かを判断する。調査されているセルが適切なセルである場合、９１４に示すように、ＵＥはそのセルに正常キャンプし、そうでない場合は、優先セル候補リストにさらに候補があるか否かが９１０で判断される。Ｙｅｓの場合、手順は９１２に進み、次に高い順位のセルを選択してその適切性を調査し、そうでない場合は、ＵＥが正常キャンプするのに適したセルは優先リストにないと結論付けられる。したがって、９１６では、非優先リストにおける最高順位のセルが選択され、ＵＥはそのセルに「任意セルへのキャンプ」モードでキャンプする。
【００６４】
図１０は、ある態様に従ったセルのカテゴリ化を詳述した単純な流れ図１０００を示している。この方法は１００２で始まり、ＵＥはセルを、少なくともそのアクセス関連属性に基づき優先および非優先のカテゴリに分類する。１００４において、調査されているセルが優先セルであるか否かが判断される。Ｙｅｓの場合、１００６に示すように、この手順ではセルに標準的なＱｏｆｆｓｅｔ（クオリティオフセット）を設定して、このセルに正常キャンプできることを示し、そうでない場合は、１００８に示すように、別のオフセットであるＱｏｆｆｓｅｔ＿ａｎｙｃｅｌｌが設定され、このセルは、ＵＥが「任意セルへのキャンプ」状態でキャンプできるにすぎないため、非優先であることを示す。Ｑｏｆｆｓｅｔパラメータを使用して、対応するセルの測定された無線の質にオフセットを適用する。特に、Ｏｆｆｓｅｔ＿ａｎｙｃｅｌｌパラメータを順位付けプロセスで使用して、異周波数または異ＲＡＴセルがより優れたサービスを提供するように見えるようにし、それによりＵＥは、サービス提供周波数から移動することを促される。Ｑｏｆｆｓｅｔ＿ａｎｙｃｅｌｌは、仕様でハードコード化されるか、空気中で（over the air）ＵＥに信号を送ることができる。
【００６５】
図１１は、本明細書で説明する様々な態様に従ったデバイス１１００の各種コンポーネントを示す高水準の図である。デバイス１１００は、ｅＮｏｄｅ  Ｂ、ＵＥまたはその組合せであってよい。このデバイスは、様々な通信を送信する送信コンポーネント１１０２を備える。デバイスがＵＥとして機能している場合、送信コンポーネント１１０２は、サービス提供ｅＮｏｄｅ  Ｂ／基地局に対し、アップリンクで様々な通信を送信することができる。この通信は、リソース要求、割り当てリソースにおけるデータ送信などを含むことができる。デバイスはまた、ｅＮｏｄｅ  Ｂまたは他のＵＥなどを含む各種エンティティから通信を受信する受信コンポーネント１１０４を備える。リソース要求が送信されると、受信コンポーネントは、アップリンク通信またはデータ送信のためのリソースの割り当てに関する制御メッセージを受信することができる。ある態様に従い、受信コンポーネント１１０４は、例えば、ハンドオーバ手順に関する制御メッセージ、キャンプ対象セルの適切性を評価するためのシステム情報、ｅＮＢと結び付いた選択されたセル内のリソースの割り当てなどの他の情報を受信することができる。この図において送信／受信コンポーネントは２つの別個のコンポーネントとして示しているが、これは必要ではなく、それらの機能を１つの通信コンポーネントに結合できることが理解されよう。これらのメッセージはデータ記憶装置１１０６に格納することができる。データ記憶装置１１０６は、本明細書で説明する態様と関連して使用される情報、データベースおよびプログラムを大量に格納できるハードウェアおよび／またはソフトウェアの適切な組合せであってよい。デバイス１１００は場合により、ランダムアクセスメモリ（ＲＡＭ）、読み取り専用メモリ（ＲＯＭ）またはこれらの組合せを含む揮発性／不揮発性メモリ１１１０を備えることができる。これらのメッセージは、処理コンポーネント１１１２によって復号および処理される。ある態様に従い、リソースと結び付いた割り当て情報を特定するため、サービス提供基地局／ｅＮｏｄｅ  Ｂから受信した制御メッセージを復号および処理することができる。前述のとおり、これらのメッセージはシステム情報ブロック（ＳＩＢ）の形でネットワーク情報を配信することができる。キャンプするのに適したセルをＵＥが選択するのをサポートするため、この情報を復号してメモリ１１１０および／またはデータ記憶装置１１０６に格納することができる。記憶情報に基づき、処理コンポーネント１１１２は、近隣の様々なｅＮｏｄｅ  Ｂと結び付いた優先事項を設定するのをサポートするオフセット値を決定することもできる。これは、キャンプするのに適したセルをＵＥが選択するのをサポートし、それにより、既存のネットワークの様々な属性に基づきＵＥが受信できる最高のサービスを確保する。
【００６６】
次に、開示内容の態様を可能にするシステムについて、図１２との関係で説明する。かかるシステムは、機能ブロックを含むことができ、これは、プロセッサ、電子機械、ソフトウェア、またはこれらの組合せ（例：ファームウェア）によって実施される機能を表す機能ブロックであってよい。
【００６７】
図１２は、セル選択を可能にするシステム例１２００のブロック図を示している。システム１２００は、例えば、少なくとも一部はモバイルの中に存在することができる。システム１２００は、連動することができる電子コンポーネントの論理グループ１２１０を含む。ある態様では、論理グループ１２１０は、ＵＥがセルに現在キャンプされている状態に基づいてＵＥのためセル再選択の測定手順を実施する電子コンポーネント１２１５、およびＵＥが現在キャンプされている状態を判断するシステム情報を受信する電子コンポーネント１２２５を含む。
【００６８】
システム１２００はまた、電子コンポーネント１２１５および１２２５と結び付いた機能を実行する命令、ならびにかかる機能の実行中に生成され得る測定または計算されたデータを保存するメモリ１２３０を含むことができる。図ではメモリ１２３０の外部に存在するが、電子コンポーネント１２１５および１２２５の１つまたは複数がメモリ１２３０の内部に存在できることが理解されよう。
【００６９】
本明細書で説明するデータ伝送技術は、様々な手段で実施することができる。例えば、これらの技術は、ハードウェア、ファームウェア、ソフトウェアまたはこれらの組合せで実施することができる。ハードウェア実装の場合、送信機でのデータ送信または受信機でのデータ受信に使用される処理ユニットは、１つまたは複数のアプリケーション専用集積回路（ＡＳＩＣ）、デジタル信号プロセッサ（ＤＳＰ）、デジタル信号処理装置（ＤＳＰＤ）、プログラム可能論理デバイス（ＰＬＤ）、書き換え可能ゲートアレー（ＦＰＧＡ）、プロセッサ、コントローラ、マイクロコントローラ、マイクロプロセッサ、電子デバイス、本明細書で説明する機能を実行するように設計された他の電子ユニット、またはこれらの組合せの中で実施することができる。
【００７０】
ファームウェアおよび／またはソフトウェア実装の場合、この技術は、本明細書で説明する機能を実行するモジュール（例：手順、機能など）で実施することができる。ファームウェアおよび／またはソフトウェアのコードは、メモリに格納し、プロセッサによって実行することができる。メモリは、プロセッサの内部またはプロセッサの外部に実装することができる。
【００７１】
開示された実施形態に関するこれまでの説明は、当業者がこの開示を実施または利用できるようにするため提供されている。これらの実施形態の様々な修正形態が当業者には容易に理解されると思われ、本明細書に定める一般的原理は、本開示の精神または範囲から離れることなく他の実施形態に適用することができる。よって、本開示は、本明細書に示す実施形態に限定されることを意図しておらず、この原理および本明細書で開示する新たな特徴と合致する最大の範囲を認めるものである。
【００７２】
上で開示した内容は、様々な実施形態の例を含む。当然ながら、実施形態を説明する目的でコンポーネントまたは方法の考えられるすべての組合せを説明することはできないが、多くのさらなる組合せおよび順列が可能であることが当業者には理解されよう。したがって、この詳細な説明は、添付の請求項の精神および範囲の中にあるすべてのかかる変更形態、修正形態および変形形態を包含することを意図したものである。
【００７３】
特に、上述のコンポーネント、デバイス、回路、システムなどによって実施される様々な機能に関し、このようなコンポーネントを説明するのに用いた用語（「手段」への言及を含む）は、別途の指定がない限り、説明した（例：機能的に等価な）コンポーネントの指定された機能を実施すると共に、開示した構造と構造的に等価でないとしても、本明細書で示した実施形態の例示的な態様においてその機能を実施する、どのコンポーネントにも対応することを意図している。この点に関して、この実施形態は、システムならびに様々な方法の作用および／またはイベントを実施するコンピュータ実行可能命令を有するコンピュータ可読媒体を含むことも理解されよう。
【００７４】
さらに、複数の実施形態のうちたった１つに関して、特定の特徴が開示されていることもあるが、かかる特徴は、所与のまたは特定のどのアプリケーションにとっても望ましく有利であるように、他の実施形態の１つまたは複数の他の特徴と組み合わせることができる。さらに、詳細な説明または特許請求の範囲のいずれかにおいて「含む（ｉｎｃｌｕｄｅｓ、ｉｎｃｌｕｄｉｎｇ）」という用語およびその変形が使用されている限りでは、そうした用語は、「備える（ｃｏｍｐｒｉｓｉｎｇ）」という用語と同様に包含的であることを意図している。
【図１】
2010531578.tif 000003
【図２】
2010531578.tif 000004
【図３】
2010531578.tif 000005
【図４】
2010531578.tif 000006
【図５Ａ】
2010531578.tif 000007
【図５Ｂ】
2010531578.tif 000008
【図６】
2010531578.tif 000009
【図７】
2010531578.tif 000010
【図８Ａ】
2010531578.tif 000011
【図８Ｂ】
2010531578.tif 000012
【図９】
2010531578.tif 000013
【図１０】
2010531578.tif 000014
【図１１】
2010531578.tif 000015
【図１２】
2010531578.tif 000016
【国際調査報告】
2010531578.tif 000017
2010531578.tif 000018